(57)【要約】【課題】  本発明は、ナビゲーション装置及びナビゲーション装置によるサービス提供方法に関し、例えばカーナビゲーション装置に適用して、走行中に発見した店舗等の登録に係る処理を簡略化することができるようにする。【解決手段】  本発明は、ユーザーによりマーキングされた時点の現在位置に係る位置情報によりサーバーをアクセスしてマーキングに係る店舗、施設の情報を取得するようにして、ユーザーの嗜好により店舗、施設を特定する。【選択図】        図１
2005127872.tif 000002
【特許請求の範囲】
【請求項１】
店舗及び又は施設のジャンルを示すマークを地図上に表示してユーザーを道案内するナビゲーション装置において、
ユーザーによるマーキングの操作を受け付ける操作子と、
前記操作子の操作により現在位置の位置情報を取得する位置情報取得手段と、
前記位置情報によりデータベースをアクセスして前記現在位置の店舗及び又は施設の詳細な情報を取得して記録する情報取得手段と、
該取得した詳細な情報により対応するマークを前記地図上に表示する表示手段とを備え、
前記情報取得手段は、
前記ユーザーの嗜好に合致する前記店舗及び又は施設のジャンルを検出し、
該検出したジャンルに基づいて、前記ユーザーの嗜好に合致する前記店舗及び又は施設の詳細な情報を選択的に取得して記録する
ことを特徴とするナビゲーション装置。
【請求項２】
前記表示手段は、
前記詳細な情報に基づいて営業中の場合と、営業をしていない場合とで、前記マークの表示を切り換える
ことを特徴とする請求項１に記載のナビゲーション装置。
【請求項３】
店舗及び又は施設のジャンルを示すマークを地図上に表示してユーザーを道案内するナビゲーション装置によるサービス提供方法において、
ユーザーによるマーキングの操作により現在位置の位置情報を取得する位置情報取得のステップと、
前記位置情報によりデータベースをアクセスして前記現在位置の店舗及び又は施設の詳細な情報を取得して記録する情報取得のステップと、
該取得した詳細な情報により対応するマークを前記地図上に表示する表示のステップとを有し、
前記情報取得のステップは、
前記ユーザーの嗜好に合致する前記店舗及び又は施設のジャンルを検出し、
該検出したジャンルに基づいて、前記ユーザーの嗜好に合致する前記店舗及び又は施設の詳細な情報を選択的に取得して記録する
ことを特徴とするナビゲーション装置によるサービス提供方法。
【請求項４】
店舗及び又は施設のジャンルを示すマークを地図上に表示してユーザーを道案内するナビゲーション装置によるサービス提供方法において、
通信手段を介して、前記ナビゲーション装置におけるユーザーによるマーキングの操作に係る現在位置の位置情報と、前記ユーザーの嗜好を示す情報とを取得する情報取得のステップと、
前記位置情報によりデータベースをアクセスして前記現在位置の店舗及び又は施設であって、前記ユーザーの嗜好に合致する前記店舗及び又は施設の詳細な情報を検出する情報検出のステップと、
前記情報検出のステップで検出した詳細な情報を前記ナビゲーション装置に通知する情報通知のステップとを有する
ことを特徴とするナビゲーション装置によるサービス提供方法。
【発明の詳細な説明】
【技術分野】
【０００１】
本発明は、ナビゲーション装置及びナビゲーション装置によるサービス提供方法に関し、例えばカーナビゲーション装置に適用することができる。本発明は、ユーザーによりマーキングされた時点の現在位置に係る位置情報によりサーバーをアクセスしてマーキングに係る店舗、施設の詳細な情報を取得するようにして、ユーザーの嗜好により店舗、施設を特定することにより、走行中に発見した店舗等の登録に係る処理を簡略化することができるようにする。
【背景技術】
【０００２】
従来、カーナビゲーション装置においては、単に地図によりユーザーを道案内するだけでなく、ユーザーの操作により例えば目的地近傍における有名レストラン、行楽地等のマークを表示できるようになされ、これにより使い勝手を向上するようになされている。
【０００３】
このような店舗等に係るマークにあっては、店舗、施設のジャンル毎に各種のマークが用意され、またカーナビゲーション装置に事前に登録されたものだけでなく、ユーザーの操作によっても登録できるようになされている。
【０００４】
これによりユーザーにおいては、例えば走行中に新規出店に係るレストランを発見した場合、マーキングの操作を実行することにより、この新規出店に係るレストランをカーナビゲーション装置に仮登録することができるようになされている。またこのようにして仮登録した後においては、後日、この仮登録したマーキングに係る店舗の属性等を設定することにより本登録の処理を実行するようになされ、これにより例えばこの属性に対応する店舗、施設の表示の指示により、このようにしてユーザーにより登録されたマークが、カーナビゲーション装置に事前に登録されたマークと共に地図上に表示されるようになされている。
【０００５】
このようなユーザーによる登録においては、ユーザーの趣味嗜好に合致する店舗等を必要に応じて登録できる長所がある反面、ユーザーの操作により属性等を入力しなければならないことにより、操作が煩雑な問題がある。またこのようにして入力される情報にあっては、ユーザーの記憶に頼った入力であることにより、店舗名等についても正確には入力し得ず、これにより例えばせっかく来店したにも係わらず、定休日により利用できない場合も発生する。
【０００６】
この問題を解決する１つの方法として、例えば特開平１１−１３２１７３号公報に提案されているように、電話番号等をキーにしてインターネットに接続して対応する店舗の情報を取得する方法も考えられるが、この場合にあっても、電話番号等のキーになる情報を別途取得することが必要になる。
【特許文献１】特開平１１−１３２１７３号公報
【発明の開示】
【発明が解決しようとする課題】
【０００７】
本発明は以上の点を考慮してなされたもので、走行中に発見した店舗等の登録に係る処理を簡略化することができるナビゲーション装置及びナビゲーション装置によるサービス提供方法を提案しようとするものである。
【課題を解決するための手段】
【０００８】
かかる課題を解決するため請求項１の発明においては、店舗及び又は施設のジャンルを示すマークを地図上に表示してユーザーを道案内するナビゲーション装置に適用して、ユーザーによるマーキングの操作を受け付ける操作子と、操作子の操作により現在位置の位置情報を取得する位置情報取得手段と、位置情報によりデータベースをアクセスして現在位置の店舗及び又は施設の詳細な情報を取得して記録する情報取得手段と、該取得した詳細な情報により対応するマークを地図上に表示する表示手段とを備え、情報取得手段は、ユーザーの嗜好に合致する店舗及び又は施設のジャンルを検出し、該検出したジャンルに基づいて、ユーザーの嗜好に合致する店舗及び又は施設の詳細な情報を選択的に取得して記録する。
【０００９】
また請求項３の発明においては、店舗及び又は施設のジャンルを示すマークを地図上に表示してユーザーを道案内するナビゲーション装置によるサービス提供方法に適用して、ユーザーによるマーキングの操作により現在位置の位置情報を取得する位置情報取得のステップと、位置情報によりデータベースをアクセスして現在位置の店舗及び又は施設の詳細な情報を取得して記録する情報取得のステップと、該取得した詳細な情報により対応するマークを地図上に表示する表示のステップとを有し、情報取得のステップは、ユーザーの嗜好に合致する店舗及び又は施設のジャンルを検出し、該検出したジャンルに基づいて、ユーザーの嗜好に合致する店舗及び又は施設の詳細な情報を選択的に取得して記録する。
【００１０】
また請求項４の発明においては、店舗及び又は施設のジャンルを示すマークを地図上に表示してユーザーを道案内するナビゲーション装置によるサービス提供方法に適用して、通信手段を介して、ナビゲーション装置におけるユーザーによるマーキングの操作に係る現在位置の位置情報と、ユーザーの嗜好を示す情報とを取得する情報取得のステップと、位置情報によりデータベースをアクセスして現在位置の店舗及び又は施設であって、ユーザーの嗜好に合致する店舗及び又は施設の詳細な情報を検出する情報検出のステップと、情報検出のステップで検出した詳細な情報をナビゲーション装置に通知する情報通知のステップとを有するようにする。
【００１１】
請求項１の構成により、店舗及び又は施設のジャンルを示すマークを地図上に表示してユーザーを道案内するナビゲーション装置に適用して、ユーザーによるマーキングの操作を受け付ける操作子と、操作子の操作により現在位置の位置情報を取得する位置情報取得手段と、位置情報によりデータベースをアクセスして現在位置の店舗及び又は施設の詳細な情報を取得して記録する情報取得手段と、該取得した詳細な情報により対応するマークを地図上に表示する表示手段とを備えるようにすれば、ユーザーがマーキングの操作を実行した場所を所在地にしてなる店舗、施設について、詳細な情報を自動的に取得して記録することができ、これにより走行中に発見した店舗等の登録に係る処理を簡略化することができる。またこのような構成において、情報取得手段は、ユーザーの嗜好に合致する店舗及び又は施設のジャンルを検出し、該検出したジャンルに基づいて、ユーザーの嗜好に合致する店舗及び又は施設の詳細な情報を選択的に取得して記録することにより、ユーザーによるマーキングの所在地に複数の店舗、施設が存在する場合でも、ユーザーの意図を考慮して店舗、施設を特定して詳細な情報を取得することができ、これにより確実に所望する店舗、施設の詳細な情報を取得して登録することができる。
【００１２】
これにより請求項３の構成によれば、走行中に発見した店舗等の登録に係る処理を簡略化することができるナビゲーション装置によるサービス提供方法を提供することができる。
【００１３】
また請求項４の構成によれば、請求項３の構成に係る店舗、施設に係る位置情報、ユーザーの嗜好による選択の処理をサーバー側で実行して、走行中に発見した店舗等の登録に係る処理を簡略化することができるナビゲーション装置によるサービス提供方法を提供することができる。
【発明の効果】
【００１４】
本発明によれば、走行中に発見した店舗等の登録に係る処理を簡略化することができる。
【発明を実施するための最良の形態】
【００１５】
以下、適宜図面を参照しながら本発明の実施例を詳述する。
【実施例１】
【００１６】
（１）実施例の構成
図２は、本発明の実施例に係るカーナビゲーション装置を周辺構成と共に示すブロック図である。このカーナビゲーション装置１においては、ユーザーのマーキングに係る店舗等の詳細な情報をダウンロードサーバー２より取得してユーザーに提供する。
【００１７】
このためダウンロードサーバー２は、インターネット３を介して接続可能なコンピュータにより構成され、カーナビゲーション装置１からの要求によりこれら店舗、施設に係る詳細な情報をカーナビゲーション装置１に提供する。
【００１８】
ここでこれら店舗、施設に係る詳細な情報は、店舗、施設の名称、所在地等の店舗、施設を特定する情報、ジャンルに係る属性情報、定休日、営業時間、お勧め品等の営業に係る情報により構成される。これらのうちジャンルにあっては、カーナビゲーション装置１に設定されたジャンルに対応するように設定され、例えば店舗においては、レストラン、書店、ホテル等の大まかなジャンル、和風レストラン、ファミリーレストラン、ラーメン店等の細かなジャンルが設定されるようになされている。
【００１９】
ダウンロードサーバー２は、カーナビゲーション装置１からの住所、所在地を基準にしたアクセスにより、対応する店舗についての詳細な情報をカーナビゲーション装置１に提供するようになされている。
【００２０】
カーナビゲーション装置１において、ＧＰＳ（Global Positioning System ）部５は、ＧＰＳの衛星より得られる電波を受信して処理することにより現在位置の位置情報を検出し、この位置情報を出力する。カーナビゲーション装置１は、このＧＰＳ部５で取得される位置情報を加速度センサによる検出結果により補正して高い精度により現在位置を検出できるようになされている。
【００２１】
光ディスク装置６は、画像処理部８からの要求に応じて光ディスクをアクセスすることにより、目的地近傍、現在位置近傍等の地図データを光ディスクより読み出して出力する。画像処理部８は、この光ディスク装置６から出力される地図データにより表示に供する画像を生成する。また画像処理部８は、ユーザーによる指示により道案内に供する音声データ等を生成し、この音声データによりスピーカ９を駆動し、これによりこのカーナビゲーション装置１では、音声によっても道案内等できるようになされている。
【００２２】
表示部１０は、液晶表示パネルにより構成され、地図、店舗の情報等を表示する。グラフィック部１１は、中央処理ユニット１２の制御により表示部１０を駆動する駆動回路により構成される。操作部１３は、このカーナビゲーション装置１の操作パネルに配置された操作子、リモートコマンダーにより構成され、ユーザーによる各種の操作を中央処理ユニット１２に通知する。ランダムアクセスメモリ（ＲＡＭ）１４は、中央処理ユニット（ＣＰＵ）１２のワークエリアを構成する。
【００２３】
ハードディスク装置（ＨＤＤ）１５は、中央処理ユニット１２の処理プログラム、ユーザーにより設定された各種の項目のデータ、傾向データベース（傾向ＤＢ）１５Ａ、ダウンロードサーバー２のアクセス記録、店舗、施設に係る情報等を記録して保持する。ここで傾向データベース１５Ａは、ユーザーの嗜好を示すデータベースであり、図３に示すように、ユーザーによるお気に入りに登録された店舗、施設をジャンル毎に集計して形成される。しかしてこの図３に示す例では、このカーナビゲーション装置１に係るユーザーににより、６０店のラーメン店がお気に入りに登録され、またそれぞれレストラン、ホテル、友達、観光名所については、２０店、１０箇所、６箇所、４箇所がお気に入りとして登録されていることが示され、これによりこのユーザーの嗜好がラーメンであることを判断できるようになされている。カーナビゲーション装置１では、このようにして登録したお気に入りについては、ユーザーによるお気に入りの表示の指示により、地図上にて対応するマークを表示して該当箇所をユーザーに通知するようになされている。
【００２４】
インターフェース（Ｉ／Ｆ）１６は、携帯電話回線を介してインターネット３に接続する通信手段、この通信手段と中央処理ユニット１２との間で各種の情報を入出力する入出力回路により構成され、中央処理ユニット１２の制御により動作を切り換える。
【００２５】
中央処理ユニット１２は、このカーナビゲーション装置１全体の動作を制御するコンピュータの一部であり、ランダムアクセスメモリ１４にワークエリアを確保してハードディスク装置１５に記録された一連の処理プログラムを実行することにより、表示部１０を介して地図を表示し、道案内等の処理を実行する。なおこの処理プログラムにおいては、事前にハードディスク装置１５にインストールされて提供され、又はインターネット３等のネットワークを介してダウンロードしたプログラムのインストールにより、さらには各種の記録媒体により提供されるプログラムのインストールにより、提供されるようになされている。因みにこのような記録媒体としては、磁気ディスク、光ディスク、磁気テープ等の記録媒体を適用することができる。
【００２６】
すなわち中央処理ユニット１２は、ユーザーにより目的地が入力され、この目的地までのルートの検索が指示されると、ＧＰＳ部５より得られる現在位置の情報、光ディスク装置６より得られる地図データに基づいて、目的地までのルートを検索する。さらにこのルートの表示、道案内が指示されると、画像処理部８、グラフィック部１１の制御により対応する処理を実行する。これらの処理において、ユーザーによりお気に入りの表示が指示されると、ユーザーが登録されたお気に入りに係る店舗、施設等を対応するマークにより地図上に表示する。またこのようなお気に入りに代えて、例えば駐車場、レストラン等のジャンルを指定してユーザーが店舗、施設の表示を指示すると、ユーザーの指示したジャンルについての店舗、施設のマークを地図上に表示する。またこのようにして各種のマークを表示して、ユーザーがマークを選択すると、このマークに対応する店舗、施設について、店舗名、休業日、営業時間、お勧め品等の詳細な情報を表示する。これによりこのカーナビゲーション装置１においては、ユーザーによるレストラン等の選択の手助けを提供し、ユーザーによる使い勝手を向上するようになされている。
【００２７】
これに対してユーザーが操作部１３の操作によりマーキングを指示すると、中央処理ユニット１２は、お気に入りに店舗を仮登録する。ここでこの仮登録にあっては、現在位置を所在地に設定して、属性不明の店舗をユーザーのお気に入りとしてハードディスク装置１５に記録して実行される。
【００２８】
またこのようにしてユーザーのマーキングにより店舗等を仮登録すると、中央処理ユニット１２は、ダウンロードサーバー２からこの仮登録に係る店舗の詳細な情報を取得し、この取得した詳細な情報により本登録の処理を実行して対応するマークを地図上に表示する。図１は、この本登録に係る中央処理ユニット１２の処理手順を示すフローチャートである。中央処理ユニット１２は、この仮登録の処理を完了すると、ステップＳＰ１からステップＳＰ２に移り、インターフェース１６の制御によりダウンロードサーバー２への接続を開始する。
【００２９】
続いて中央処理ユニット１２は、ステップＳＰ３に移り、ダウンロードサーバー２からマーキングに係る店舗の詳細な情報を取得する。このとき中央処理ユニット１２は、ＧＰＳ部５で検出される現在位置により光ディスク装置６をアクセスして現在位置に対応する住所を検出し、この住所に存在する店舗、施設を検索して詳細な情報を取得する。また実際にユーザーが店舗を発見してマーキングの操作を実行するまでの間に時間差が存在することも考えられることにより、移動経路を遡った一定範囲の住所により、店舗、施設を検索して詳細な情報を取得する。中央処理ユニット１２は、この取得した詳細な情報をハードディスク装置１５に一時記録して保持する。
【００３０】
続いて中央処理ユニット１２は、ステップＳＰ４に移り、ここで傾向データベース１５Ａを解析してユーザーの嗜好を検出する。具体的に中央処理ユニット１２は、傾向データベース１５Ａで登録件数の多いジャンルを検出し、これによりユーザーの嗜好を反映してなる店舗、施設のジャンルを検出する。
【００３１】
続いて中央処理ユニット１２は、ステップＳＰ５に移り、ステップＳＰ３により該当する店舗の詳細な情報を検出できたか否か判断し、ここで否定結果が得られると、ステップＳＰ６に移り、ユーザーによるマーキングについては、仮登録したままの条件により本登録の処理を実行し、この本登録に従って地図上にマークを表示した後、ステップＳＰ７に移ってこの処理手順を終了する。これによりこの場合、中央処理ユニット１２は、このマーキングについては、現在位置を所在地に設定して、属性不明の店舗をユーザーのお気に入りに登録し、図４に示すように、家屋を示す縁取りによるマークに、詳細が不明であることを示す「？」の文字を重ねて地図上に表示するようになされている。またこのようなマークを表示して、ユーザーによりこのマークが選択されて詳細な情報の登録が指示されると、ユーザーによる操作に応動して店舗名、ジャンル等の入力を受け付けるようになされている。
【００３２】
これに対してステップＳＰ５で肯定結果が得られると、中央処理ユニット１２は、ステップＳＰ５からステップＳＰ８に移り、ハードディスク装置１５に一時保持してなる詳細な情報をお気に入りのデータベースに本登録する。この処理において、中央処理ユニット１２は、ダウンロードサーバー２から複数の店舗、施設が検出されている場合、ステップＳＰ４で検出したジャンルに基づいてこれら複数の店舗、施設からユーザーの嗜好に合致する店舗、施設を特定し、この特定した店舗、施設に係る詳細な情報により本登録の処理を実行する。
【００３３】
これにより図３に示す例による場合、中央処理ユニット１２は、ダウンロードサーバー２から複数件数の詳細な情報が検出された場合、登録件数の最も多いラーメン店に係る詳細な情報を本登録に使用するのに対し、このようなラーメン店の詳細な情報が含まれていない場合、続く登録件数の多いレストランに係る詳細な情報を本登録するようになされている。
【００３４】
このようにして本登録すると、中央処理ユニット１２は、ステップＳＰ９に移り、この登録した詳細な情報に含まれている営業の情報を取得し、続くステップＳＰ１０において、現在、営業中か否か判断する。
【００３５】
ここで現在営業中の場合、中央処理ユニット１２は、ステップＳＰ１０からステップＳＰ１１に移り、この詳細な情報によるジャンルに対応するマークを地図上で表示した後、ステップＳＰ７に移ってこの処理手順を終了する。これにより図５に示すように、このようにして本登録した詳細な情報がラーメン店に係るものの場合、中央処理ユニット１２は、図５に示すようにラーメンのドンブリを表してなるマークを地図上に表示するようになされている。
【００３６】
これに対してこのマーキングに係る店舗、施設が営業中でない場合、中央処理ユニット１２は、ステップＳＰ１０からステップＳＰ１１に移る。ここで図６に示すように、この詳細な情報によるジャンルに対応するマークに、「×」印を重ねて地図上で表示した後、ステップＳＰ７に移ってこの処理手順を終了する。
【００３７】
しかして中央処理ユニット１２は、このようにして図５、図６に示すマークを表示して、ユーザーによりこのマークが選択されると、このマークに係る詳細な情報を表示し、これにより店舗名、お勧め品等の情報をユーザーに提供するようになされている。
【００３８】
（２）実施例の動作
以上の構成において、カーナビゲーション装置１では（図２）、ＧＰＳ部５で取得される現在位置の位置情報を基準にして、光ディスク装置６で光ディスクを再生して得られる地図データ等を処理して、目的地までの道案内に係る地図、現在位置近傍の地図、目的地近傍の地図等が表示部１０に表示される。これによりカーナビゲーション装置１においては、地図を表示して道案内する等のサービスがユーザーに提供される。
【００３９】
またカーナビゲーション装置１では、例えば過去に訪れた店舗、施設、ユーザーが訪れたいと思っている店舗、施設については、お気に入りへの登録によりこれら店舗、施設に関する情報がハードディスク装置１５に記録され、またこのお気に入りに係る表示の指示により、これら店舗、施設のジャンルを示すマークが地図上の対応する個所に表示される。これによりカーナビゲーション装置１では、例えば現在位置近傍の地図を表示して、このようなマークを確認することにより、お気に入りのレストラン等を簡易に見つけ出すことができるようになされ、その分、使い勝手を向上できるようになされている。また例えば駐車場、レストラン等のジャンルを指定したユーザーの指示により、光ディスク装置６に保持された光ディスクに記録されてなる店舗、施設を紹介する情報から該当するジャンルの店舗等が選択され、この店舗等が地図上で表示される。
【００４０】
これらによりこのカーナビゲーション装置１においては、店舗及び施設のジャンルを示すマークを地図上に表示してユーザーを道案内することができるようになされている。
【００４１】
このカーナビゲーション装置１において、操作部１３に設けられたマーキングの操作子をユーザーが操作すると、この操作に応動してＧＰＳ部５で検出される現在位置の位置情報により、ダウンロードサーバー２をアクセスし、このマーキングされた位置を所在地にしてなる店舗、施設が検出され、この検出した店舗、施設に係る詳細な情報が取得されてハードディスク装置１５に記録される。これによりカーナビゲーション装置１では、単にマーキングの操作子を操作するだけで、店舗名、ジャンル等の情報を取得して自動的に登録することができ、これにより走行中に発見した店舗等の登録に係る処理を簡略化することができる。
【００４２】
しかしながらこのような登録方法にあっては、このようにユーザーがマーキングした所在地に複数の店舗、施設が存在する場合もある。これによりこのカーナビゲーション装置１では、ユーザーがお気に入りに登録してなる件数をジャンル毎に集計した傾向データベース１５Ａにより、ユーザーの嗜好が検出され、複数の店舗、施設が検出された場合には、この嗜好に合致してなる店舗、施設が選択されて詳細な情報が取得される。しかしてこのようにして取得されてなる詳細な情報にあって、概ねユーザーがマーキングの操作により意図した店舗、施設に係る情報であると言え、これによりこの実施例においては、ユーザーの所望する店舗、施設の詳細な情報を確実に取得して登録することができるようになされている。
【００４３】
またこのようにして詳細な情報を取得する場合にあっては、各種の情報を取得できることにより、カーナビゲーション装置１においては、このような情報の１つに営業に関する情報が割り当てられ、またこの営業に関する情報により営業中か否かを識別可能に地図上にマークが表示される。これによりユーザーにおいては、せっかく訪れたにも係わらず定休日であった等の無駄足を防止し得、その分、使い勝手を向上することができる。
【００４４】
またこのようにして取得する情報の１つに、お勧め品等の情報が割り当てられ、これにより光ディスクにより記録されている店舗、施設に関する情報をユーザーに提供する場合と同様に、このようにして地図上に表示してなるマークの選択によりこれらお勧め品等の詳細な情報をユーザーに提供してユーザーの使い勝手が向上される。
【００４５】
（３）実施例の効果
以上の構成によれば、ユーザーによりマーキングされた時点の現在位置に係る位置情報によりサーバーをアクセスしてマーキングに係る店舗、施設の情報を取得するようにして、ユーザーの嗜好により店舗、施設を特定することにより、走行中に発見した店舗等の登録に係る処理を簡略化することができる。
【００４６】
またこのときこのようにして取得した詳細な情報に基づいて営業中の場合と、営業をしていない場合とで、マークの表示を切り換えることにより、ユーザーの使い勝手を向上することができる。
【実施例２】
【００４７】
この実施例においては、上述の実施例１に係るカーナビゲーション装置における処理の一部をダウンロードサーバー側で実行する。なおこの実施例においては、このようにカーナビゲーション装置とダウンロードサーバーとの処理分担が異なる点を除いて、実施例１と同一に構成されることにより、以下の説明においては、図２の構成を流用して説明する。
【００４８】
すなわちこの実施例において、カーナビゲーション装置１の中央処理ユニット１２においては、ユーザーによりマーキングの操作が実行されると、現在位置の位置情報、ユーザーにより傾向データベース１５Ａに登録された各ジャンルの登録件数をダウンロードサーバー２に通知する。
【００４９】
ダウンロードサーバー２は、これらの通知によりこのようにして通知された現在位置に存在する店舗、施設を検出し、この検出した店舗等の詳細な情報をカーナビゲーション装置１に通知する。このとき複数の店舗、施設が検出された場合には、カーナビゲーション装置１から通知された傾向データベース１５Ａの記録によりユーザーの嗜好に合致する店舗、施設を選択し、この選択してなる店舗等に係る詳細な情報をカーナビゲーション装置に提供する。
【００５０】
この実施例のようにサーバー側でユーザーの嗜好により店舗等を特定するようにしても、実施例１と同様の効果を得ることができる。またこのようにサーバー側で処理を負担することにより、カーナビゲーション装置１側の負担を軽減することができる。
【実施例３】
【００５１】
なお上述の実施例２においては、カーナビゲーション装置側に傾向データベースを保持する場合について述べたが、本発明はこれに限らず、この傾向データベースをサーバー側に保持するようにしてもよい。
【００５２】
また上述の実施例においては、カーナビゲーション装置と、そのダウンロードサーバーとに本発明を適用する場合について述べたが、本発明はこれに限らず、例えば携帯電話と、この携帯電話にサービスを提供するサーバー、ＰＤＡ（Personal Digital Assisiants）と、このＰＤＡにサービスを提供するサーバー等、地図を表示してユーザーを道案内するナビゲーション装置の機能を有する各種装置と、関連する構成に広く適用することができる。
【産業上の利用可能性】
【００５３】
本発明は、例えばカーナビゲーション装置に適用することができる。
【図面の簡単な説明】
【００５４】
【図１】本発明の実施例１に係るカーナビゲーション装置における中央処理ユニットの処理手順を示すフローチャートである。
【図２】本発明の実施例１に係るカーナビゲーション装置を示すブロック図である。
【図３】図２のカーナビゲーション装置における傾向データベースの説明に供する図表である。
【図４】図１の処理手順の説明に表する平面図である。
【図５】図１の処理手順により登録されたマークによる表示を示す平面図である。
【図６】図１の処理手順により営業していない場合の表示を示す平面図である。
【符号の説明】
【００５５】
１……カーナビゲーション装置、２……ダウンロードサーバー、５……ＧＰＳ部、１０……表示部、１２……中央処理ユニット、１３……操作部
【図１】
2005127872.tif 000003
【図２】
2005127872.tif 000004
【図３】
2005127872.tif 000005
【図４】
2005127872.tif 000006
【図５】
2005127872.tif 000007
【図６】
2005127872.tif 000008